(57)【要約】【課題】汚れる頻度の高い幕板の着脱が簡単で且つ幕板の水洗い等の清掃が容易にできるようにする。【解決手段】加熱器４上方に面して起立する壁面３ａへ取付けた支持具１２と、支持具１２へ着脱自在に取付ける不燃性の幕板１３とを備え、支持具１２は壁面３ａと加熱器４上方との間で壁面３ａに沿って延びる受け部１２ａを備え、幕板１３は係止部１３ａを備え、受け部１２ａに係止部１３ａを係止して吊り下げるようにしたこと。【効果】汚れた幕板１３を支持具１２から離脱して単独で水洗い等して、綺麗になった幕板１３を支持具１２に係止して使用できる。幕板１３を持ち上げ又は引っ掛ける簡単な操作で着脱が容易にでき、また幕板１３が単純な形状であるため水洗い等の清掃が容易である。【選択図】  図１
2004298304.tif 000002
【特許請求の範囲】
【請求項１】
加熱器上方に面して起立する壁面へ取付ける支持具と、該支持具へ着脱自在に取付ける不燃性の幕板とを備えたキッチン用はね飛散防止具であって、前記支持具は前記壁面と前記加熱器上方との間で前記壁面に沿って延びる受け部を備え、前記幕板は係止部を備え、該受け部に該係止部を係止して吊り下げるようにしたことを特徴とするキッチン用はね飛散防止具。
【請求項２】
前記支持具は、吊り下げた前記幕板に当接して、前記幕板の揺動を阻止するストッパーを備えた請求項１記載のキッチン用はね飛散防止具。
【請求項３】
前記支持具は、前記壁面に取付ける両側の取付け部と、各取付け部から手前上方へ延設した支持棒と、両支持棒の上端に連結した棒状の前記受け部とからなり、前記幕板は、平面状域の上端側を折り曲げてフック状の前記係止部を形成した請求項１又は２記載のキッチン用はね飛散防止具。
【請求項４】
前記壁面が前記加熱器上方に面したキッチンカウンターの起立壁面であり、前記幕板の上端側が該キッチンカウンターの上面より上方へ突出している請求項１，２又は３記載のキッチン用はね飛散防止具。
【発明の詳細な説明】
【０００１】
【発明の属する技術分野】
本発明は、ガスコンロ又は電磁調理器等の加熱器で加熱しているフライパン又は鍋等から発生する油はね，水はね等のはねの飛散を防止するために、加熱器上方と壁面との間に配置するキッチン用飛散防止具に関するものである。
【０００２】
【従来の技術】
加熱器で加熱したフライパン等から飛散した油はね等は、加熱器上方に面して起立する壁面に付着して壁面を汚すことがある。この壁面の汚れを防止する構造としては、壁面に上支持具及び下支持具を設け、上支持具と下支持具との間にキッチンパネルをけどん式で嵌めて係止し、壁面の前側をキッチンパネルで覆うものがある（例えば、特許文献１参照。）。
【０００３】
また、従来より、キッチンエリアとダイニングエリアとの間に配置する等して対面できるキッチンカウンターを設けたものがあり、キッチンエリアから見て加熱器の後側に衝立を設けて、キッチンエリアと反対側に油はね等が飛散しないようにしている。この衝立は、枠体に幕板を固着し、枠体の左右下端部に固着した固定具を、カウンターの上面部にビス固定している（例えば、特許文献２参照。）。
【０００４】
【特許文献１】
特開平９−３７８６３号公報
【特許文献２】
特開２００２−２０９６４９号公報
【０００５】
【発明が解決しようとする課題】
油はね等でキッチンパネルや幕板が汚れたときには、拭き掃除される。ところが、頑固な汚れのときは、拭き掃除で除去できないため、キッチンパネルや幕板を取外して水洗い等したいときがあるが、しかし、前者の構造にあっては、キッチンパネルをけどん式で嵌めて係止するため、キッチンパネルの着脱に手間取り使い勝手が悪く、キッチンパネルの水洗い等がおっくうとなる。また、後者の構造にあっては、カウンターにビス固定した衝立を容易に取り外せないため、水洗い等をあきらめていた。
【０００６】
そこで、本発明は、汚れる頻度の高い幕板の着脱が簡単で水洗い等が容易にできるキッチン用はね飛散防止具の提供を目的としている。
【０００７】
【課題を解決する手段】
汚れる頻度の高い幕板の着脱が簡単で且つ幕板の水洗い等の清掃が容易にできるようにするために請求項１に記載の本発明が採用した手段は、加熱器上方に面して起立する壁面へ取付ける支持具と、該支持具へ着脱自在に取付ける不燃性の幕板とを備えたキッチン用はね飛散防止具であって、前記支持具は前記壁面と前記加熱器上方との間で前記壁面に沿って延びる受け部を備え、前記幕板は係止部を備え、該受け部に該係止部を係止して吊り下げるようにしたことを特徴とするキッチン用はね飛散防止具である。
本発明にあっては、支持具の受け部に幕板の係止部を係止して吊り下げる構造であるため幕板の着脱が容易であり、汚れた幕板を受け部から離脱して単独で水洗い等して、綺麗になった幕板を受け部に吊り下げて使用できる。
【０００８】
吊り下げた幕板が揺動しないようにするために請求項２に記載の本発明が採用した手段は、前記支持具は、吊り下げた前記幕板に当接して、前記幕板の揺動を阻止するストッパーを備えた請求項１記載のキッチン用はね飛散防止具である。本発明にあっては、支持具のストッパーに幕板が当接して、幕板の揺動を阻止できる。
【０００９】
幕板の着脱及び清掃が簡単となるように請求項３に記載の本発明が採用した手段は、該支持具は、前記壁面に取付ける両側の取付け部と、各取付け部から手前上方へ延設した支持棒と、両支持棒の上端に連結した棒状の前記受け部とからなり、前記幕板は、平面状域の上端側を折り曲げてフック状の前記係止部を形成した請求項１又は２記載のキッチン用はね飛散防止具。
本発明にあっては、支持具から幕板を持ち上げて離脱できると共に、支持具の棒状の受け部に幕板のフック状の係止部を引っ掛けることで吊り下げることができ、幕板の形状が平面状域の上端側に折り曲げたフックを形成した単純なものであるため、清掃が簡単にできる。
【００１０】
油はね等がキッチンカウンターの上面に飛着するのを防止するために請求項４に記載の本発明が採用した手段は、前記壁面が前記加熱器上方に面したキッチンカウンターの起立壁面であり、前記幕板の上端側が該キッチンカウンターの上面より上方へ突出している請求項１，２又は３記載のキッチン用はね飛散防止具である。
本発明にあっては、飛散している油はね等を、キッチンカウンターの上面より上方へ突出している幕板の上端側で捕捉できる。
【００１１】
【発明の実施の形態】
以下、本発明に係るキッチン用はね飛散防止具（以下、「本発明防止具」という。）を図１乃至図４に示す実施の形態に基づいて説明する。図１は本発明防止具１１を備えたキッチン設備１の要部を示す斜視図、図２は支持具１２に幕板１３を係止して吊り下げた状態の断面図、図３は幕板１３を持ち上げて支持具１２と分離した状態の斜視図、図４は支持具１２の別態様を示す斜視図、図５は支持具１２の全体を覆うことができる幕板１３を備えた別態様を示す斜視図である。
【００１２】
図１及び図２に示すようにキッチン設備１は、メインのキッチンカウンター２とサブのキッチンカウンター３とを並設している。メインのキッチンカウンター２は、キャビネット上に天板２ａを取付け、天板２ａにガスコンロ又は電磁調理器等からなる加熱器４を取付けている。サブのキッチンカウンター３は、前側にメインのキッチンカウンター２に面する壁面３ａが形成され、後側がリビング側に面する対面式カウンターとなっている。なお、サブのキッチンカウンター３は、図示は省略したが、出窓で形成して後側上方に窓を設けるものとすることもある。更に、メインのキッチンカウンター２とサブのキッチンカウンター３とを一体に形成することもある。
【００１３】
メインのキッチンカウンター２とサブのキッチンカウンター３との間には、本発明防止具１１が設けられている。本発明防止具１１は、加熱器４上方に面して起立する壁面３ａへ取付ける支持具１２と、支持具１２へ着脱自在に取付ける不燃性の幕板１３とを備えている。支持具１２は、壁面３ａと加熱器４上方との間で壁面３ａに沿って延びる受け部１２ａを備え、幕板１３は、係止部１３ａを備えている。本発明防止具１１は、支持具１２の受け部１２ａに、幕板１３の係止部１３ａを着脱自在に係止して吊り下げるようになっており、汚れた幕板１３を受け部１２ａから離脱して単独で水洗い等して、綺麗になった幕板１３を受け部１２ａに係止して吊り下げるようにしてある。
【００１４】
前記支持具１２は、図３に示す如く、前記壁面３ａにビス１４で取付ける両側の取付け部１２ｂ，１２ｃと、各取付け部１２ｂ，１２ｃから手前上方へ延設した支持棒１２ｄ，１２ｅと、両支持棒１２ｄ，１２ｅの上端に連結した棒状の受け部１２ａとからなり、壁面３ａに両側の取付け部１２ｂ，１２ｃを取付ける片持ち状となる。受け部１２ａは、前記壁面３ａから手前に離れた位置となるようにしてある。支持具１２は、吊り下げた幕板１３の前後方向への揺動を阻止するストッパー１２ｆを備え、吊り下げた幕板１３にストッパー１２ｆが当接するようにしてある。ストッパー１２ｆは、受け部１２ａから垂直に垂下するように設けられ、吊り下げた幕板１３の平面状域１３ｂの後側面に当接するようになっている。
【００１５】
本実施例の支持具１２は、ステンレススチール製等の棒状素材から折り曲げ形成され、Ｖ字状のストッパー１２ｆを受け部１２ａに溶接等で接合し、取付け部１２ｂ，１２ｃを板状に成形してビス孔を穿設してある。支持具１２は、棒状素材で形成することで、全体を板素材で成形する場合に比べて表面積を小さくして圧迫感をなくし、清掃も容易となる。なお、支持具１２は、図４に示す如く、両側の受け部１２ａ，１２ａの間にＶ字状のストッパー１２ｆを配置することで、１本の棒素材を折り曲げて形成できるようにして、図３の場合の溶接等の接合を省いて製造コストを低減させることも可能である。
【００１６】
前記幕板１３は、図３に示す如く、平面状域１３ｂの上端側を折り曲げてフック状の係止部１３ａを形成してある。本実施例の幕板１３は、ステンレススチール等の不燃性素材から成形され、平面状域１３ｂから連続的に折り曲げてフック状の係止部１３ａを形成した単純な形状となっているため、取り扱いが簡単であると共に清掃も簡単にできる。なお、幕板１３は、図示は省略したが、平面状域１３ｂを陶磁器板で形成し、平面状域１３ｂの後側にフック状の係止部１３ａを取着して構成することも可能である。前記幕板１３は、図５に示す如く、支持具１２の全体を覆うことができる大きさに形成することもある。この図５に示す場合には、手前側（油はね等のはねが発生する側）から見て支持具１２の全体が幕板１３で覆われるため、支持具１２に油はね等が付着する割合を著しく低減できる。
【００１７】
本発明防止具１１は、図１及び図２に示す如く、加熱器４で加熱されるフライパン（図示略）等から生じる油はね等がキッチンカウンター３の上面３ｂに飛着するのを防止するために、加熱器４上方に面したキッチンカウンター３の起立壁面３ａに支持具１２を取付け、支持具１２の受け部１２ａをキッチンカウンター３の上面３ｂより上方へ突出させ、幕板１３の上端側がキッチンカウンター３の上面３ｂより上方へ突出するようにしてある。フライパン等から飛散した油はね等は、カウンター上面３ｂより上方へ突出している幕板１３の上端側で捕捉され、カウンター上面３ｂに飛着するのが防止される。
【００１８】
なお、前記壁面３ａは、キッチンカウンター３の起立壁面で形成することなく、図示は省略したが、躯体の壁面で形成することも可能である。
【００１９】
【発明の効果】
請求項１記載の本発明防止具は、支持具に幕板を吊り下げる構造であるため、支持具に対する幕板の着脱が容易となり、汚れる頻度の高い幕板を簡単に取り外して単独で水洗い等して、綺麗になった幕板を支持具に簡単に係止して吊り下げることができる。
【００２０】
請求項２記載の本発明防止具は、幕板が揺動しないように吊り下げることができる。
【００２１】
請求項３記載の本発明防止具は、幕板を持ち上げ又は引っ掛ける簡単な操作で着脱が容易にでき、また幕板が単純な形状であるため水洗い等の清掃が容易となる。
【００２２】
請求項４記載の本発明防止具は、キッチンカウンターの上面より上方へ突出している幕板の上端側で油はね等を捕捉するため、キッチンカウンターの上面に油はね等が飛着するのを防止できる。
【図面の簡単な説明】
【図１】本発明防止具の実施の形態を示すものであって、支持具に幕板を係止して吊り下げた状態の斜視図である。
【図２】同実施の形態の本発明防止具を示すものであって、支持具に幕板を係止して吊り下げた状態の断面図である。
【図３】同実施の形態の本発明防止具を示すものであって、支持具と幕板とを分離した状態の斜視図である。
【図４】本発明防止具における支持具の別態様を示す斜視図である。
【図５】本発明防止具において支持具の全体を覆うことができる幕板を備えた別態様を示す斜視図である。
【符号の説明】
３ａ…壁面、４…加熱器、１２…支持具、１２ａ…受け部、１３…幕板、１３ａ…係止部
【図１】
2004298304.tif 000003
【図２】
2004298304.tif 000004
【図３】
2004298304.tif 000005
【図４】
2004298304.tif 000006
【図５】
2004298304.tif 000007